(57)【要約】【課題】逆挿入状態の端子金具を信頼性良く検知すること可能なコネクタを提供する。【解決手段】端子金具８０は、本体部８１の外面に突起９２を有する。ハウジング１０は、本体部８１が挿入されるキャビティ１１と、突起９２が進入する案内溝２３と、本体部８１が逆挿入姿勢をとるときに突起９２が進入する逆挿案内溝２８とを有する。ハウジング１０は、逆挿案内溝２８の溝面に、突起９２と対向するように本体部８１の挿入方向と交差する方向に傾斜し、突起９２を摺動させる逆挿案内斜面３２を有している。【選択図】図９
2019153502.tif 000002
【特許請求の範囲】
【請求項１】
本体部の外面に突起を有する端子金具と、
前記本体部が挿入される端子挿入孔を有するとともに、前記端子挿入孔に連通し、前記突起が進入する案内溝を有するコネクタ本体を備え、
前記コネクタ本体は、前記端子挿入孔に連通し、前記本体部が逆挿入姿勢をとるときに前記突起が進入する逆挿案内溝を有し、前記逆挿案内溝の溝面に、前記突起と対向するように前記本体部の挿入方向と交差する方向に傾斜し、前記突起を摺動させる逆挿案内斜面を有しているコネクタ。
【請求項２】
前記本体部が逆挿入姿勢をとって前記端子金具が停止したときに、前記突起が前記逆挿案内斜面の傾斜途中に位置している請求項１に記載のコネクタ。
【請求項３】
前記端子金具は、前記本体部の外面に第２突起を有し、
前記コネクタ本体は、前記端子挿入孔に連通して前記第２突起を受ける凹所を有し、前記凹所の内面に、前記本体部が逆挿入姿勢をとるときに前記第２突起を当て止めする当て止め部を有している請求項１又は請求項２記載のコネクタ。
【発明の詳細な説明】
【技術分野】
【０００１】
本発明は、コネクタに関する。
【背景技術】
【０００２】
特許文献１に記載のコネクタは、ハウジング、一括ゴム栓、リアホルダ及び端子金具を備えている。一括ゴム栓はハウジングの後方に配置され、リアホルダは一括ゴム栓の後方に配置される。ハウジングは端子収容室を有し、一括ゴム栓はシール孔を有し、リアホルダは貫通孔を有している。端子収容室、シール孔及び貫通孔は、前後方向に同軸で連通している。
【０００３】
端子金具は、後部に電線に圧着される電線圧着部を有し、前部に角筒部を有している。角筒部は、貫通孔からシール孔を経て端子収容室に挿入される。角筒部の外面には、スタビライザが突出して設けられている。
【０００４】
スタビライザは、貫通孔に対して角筒部が正規の挿入姿勢をとるときに、貫通孔の内面を部分的に切欠した形態の切欠領域に進入する。これにより、端子金具の挿入動作が許容される。一方、スタビライザは、貫通孔に対して角筒部が上下反転した逆挿入姿勢をとるときに、リアホルダの後面における貫通孔の開口周辺部に当接する。こうしてスタビライザがリアホルダの後面に当接することで、端子金具の挿入動作が規制されるようになっている。
【先行技術文献】
【特許文献】
【０００５】
【特許文献１】特開２０１２−２２１７８５号公報
【発明の概要】
【発明が解決しようとする課題】
【０００６】
ところで、例えば、コネクタの小型化に伴って、スタビライザの突出寸法が小さくなると、角筒部が逆挿入姿勢をとるときに、スタビライザがリアホルダの後面に当接する当接代を十分に確保することができなくなる。その結果、スタビライザがリアホルダの変形を伴いつつ貫通孔にこじ入れられ、逆挿入状態の端子金具を停止させることができない懸念がある。
【０００７】
本発明は上記のような事情に基づいて完成されたものであって、逆挿入状態の端子金具を信頼性良く検知することが可能なコネクタを提供することを目的とする。
【課題を解決するための手段】
【０００８】
本発明のコネクタは、本体部の外面に突起を有する端子金具と、前記本体部が挿入される端子挿入孔を有するとともに、前記端子挿入孔に連通し、前記突起が進入する案内溝を有するコネクタ本体を備え、前記コネクタ本体は、前記端子挿入孔に連通し、前記本体部が逆挿入姿勢をとるときに前記突起が進入する逆挿案内溝を有し、前記逆挿案内溝の溝面に、前記突起と対向するように前記本体部の挿入方向と交差する方向に傾斜し、前記突起を摺動させる逆挿案内斜面を有しているところに特徴を有する。
【発明の効果】
【０００９】
本体部が逆挿入姿勢をとって端子挿入孔に挿入されようとすると、突起が逆挿案内溝に進入して対向する逆挿案内斜面を摺動し、本体部又は本体部に連なる部分（突起を含む）が端子挿入孔の内面又は端子挿入孔に連通する部分（逆挿案内溝を含む）の内面に当接し、逆挿入状態の端子金具を確実に停止させることができる。
【図面の簡単な説明】
【００１０】
【図１】本発明の実施例１に係るコネクタにおける背面図である。
【図２】ハウジングの背面図である。
【図３】図２におけるキャビティの開口部分の拡大図である。
【図４】ハウジングの側面視方向の断面図である。
【図５】端子金具の斜視図である。
【図６】端子金具の正面図である。
【図７】端子金具の側面図である。
【図８】コネクタの側面視方向の断面図である。
【図９】本体部がキャビティに正規挿入姿勢で挿入される態様（左側）と逆挿入姿勢で挿入されようとする態様（右側）とを示す背面視方向の断面図である。
【図１０】（Ａ）は、本体部が逆挿入姿勢をとり、突起が逆挿案内斜面を摺動する途中の状態を示す拡大図であり、（Ｂ）は、（Ａ）の状態のときに、第２突起の一部が凹所に進入した状態を示す拡大図である。
【図１１】（Ａ）は、本体部が逆挿入姿勢をとり、突起が逆挿案内斜面の傾斜途中に位置する状態を示す拡大図であり、（Ｂ）は、（Ａ）の状態にときに、第２突起が凹所の当て止め面に当接可能に配置され、端子金具が停止した状態を示す拡大図である。
【図１２】本発明の実施例２に係るコネクタにおいて、（Ａ）は、本体部が逆挿入姿勢をとり、突起が逆挿案内斜面を摺動する途中の状態を示す拡大図であり、（Ｂ）は、さらに突起が逆挿入案内斜面の奥側に押し込み規制されて配置された状態を示す拡大図である。
【発明を実施するための形態】
【００１１】
本発明の好ましい実施形態を以下に示す。
（１）前記本体部が逆挿入姿勢をとって前記端子金具が停止したときに、前記突起が前記逆挿案内斜面の傾斜途中に位置しているとよい。これによれば、突起が逆挿案内溝の奥面に当接して逆挿入状態の端子金具を停止させる場合に比べ、端子金具を停止させる手段の選択幅を広げることができ、設計の自由度を高めることができる。
【００１２】
（２）前記端子金具は、前記本体部の外面に第２突起を有し、前記コネクタ本体は、前記端子挿入孔に連通して前記第２突起を受ける凹所を有し、前記凹所の内面に、前記本体部が逆挿入姿勢をとるときに前記第２突起を当て止めする当て止め部を有しているとよい。凹所及び当て止め部の形態は比較的自由に規定できるため、逆挿入状態の端子金具をよりいっそう信頼性良く停止させることができる。
【００１３】
＜実施例１＞
以下、実施例１を図１〜図１１に基づいて説明する。本実施例１に係るコネクタは、防水コネクタであって、図８に示すように、ハウジング１０、ゴム栓６０、リアホルダ７０及び端子金具８０を備えている。このうち、端子金具８０を除く、ハウジング１０、ゴム栓６０及びリアホルダ７０によってコネクタ本体が構成される。ハウジング１０は、図示しない相手コネクタに嵌合可能とされている。なお、以下の説明において、前後方向については、ハウジング１０が嵌合開始時に相手コネクタと向き合う面側を前側とする。上下方向については、各図を基準とする。
【００１４】
端子金具８０は導電性の金属板を所定形状に打ち抜いたあと曲げ加工などして一体に成形されている。端子金具８０は、全体として前後方向に細長い形態とされ、本体部８１と、本体部８１の後方に位置するワイヤバレル部８２と、ワイヤバレル部８２の後方に位置するインシュレーションバレル部８３とを有している。インシュレーションバレル部８３及びワイヤバレル部８２は、それぞれ、オープンバレル状をなし、電線１００の端末部における被覆部１０１及び被覆部１０１が除去されて露出する芯線部１０２に圧着により接続される。
【００１５】
本体部８１は、図５に示すように、角筒状をなし、図６に示すように、底板部８４、一対の側板部８５及び天板部８６を有している。また、本体部８１は、内側に、天板部８６から突出する舌片部分を後方へ折り返してなる撓み可能な弾性接触片８７を有している。
【００１６】
底板部８４は、内外（上下）の板材を二枚重ねして構成され、図５に示すように、前後方向の中間領域に、外板部分を切除した形態の凹部８８を有している。底板部８４は、凹部８８の内板部分を本体部８１内へ凹ませつつ前後方向に延びる延出部８９を有している。図６に示すように、延出部８９は、弾性接触片８７と対向して配置され、弾性接触片８７との間に、図示しない相手端子金具の雄タブが挿入される。雄タブが弾性接触片８７と延出部８９とに接触することで、両端子金具が電気的に接続されるようになっている。
【００１７】
また、図５に示すように、底板部８４は、外板部分において凹部８８の前端を区画する端縁部分の左右中間領域を下方へ膨出させた形態の第２突起９１を有している。図６に示すように、第２突起９１は、正面視において下部から左右両側にかけて曲線状に連なる外形形状を呈している。また、図７に示すように、第２突起９１は、側面視において、前面が後方へ向けて直線状に傾斜し、後面が上下方向に沿って配置され、上面が前後方向に沿って配置される形状を呈している。第２突起９１の後面には、後述するランス１７の先端部が係止可能とされている。ランス１７の先端部は、第２突起９１の後面に対向しつつ凹部８８に進入可能とされている（図８を参照）。
【００１８】
図６に示すように、両側板部８５のうち、一方の側板部８５（図６の右側の側板部８５であり、第２突起９１が設けられた板部分（底板部８４）と交差する板部分）は、上下中間領域を側方へ膨出させた形態の突起９２を有している。突起９２は、扁平台形状を呈し、上下方向及び左右方向に平坦な突出端面９３を有し、前後面及び上下面がそれぞれ突出端面９３にテーパ状に連なる形態になっている（図５を参照）。突起９２の側面視四隅部は、丸みを帯びた形状になっている。図７に示すように、前後方向に関して、突起９２と第２突起９１とは部分的に重なり合い、突起９２の前面は第２突起９１の前面の傾斜途中に位置し、突起９２の後面は第２突起９１の後面より後方に位置している。
【００１９】
ハウジング１０は合成樹脂製であって、図４に示すように、前後方向に貫通する複数のキャビティ１１を有するハウジング本体１２と、ハウジング本体１２の外周を包囲する嵌合筒部１３と、嵌合筒部１３及びハウジング本体１２をつなぐ連結部１４とを備えている。嵌合筒部１３とハウジング本体１２との間で、且つ連結部１４の前方は、図示しない相手コネクタのフード部が嵌合される嵌合空間１５として開放されている。嵌合筒部１３の上面には、ロックアーム１６が突出して設けられている。ロックアーム１６は、相手コネクタのフード部を係止して両コネクタを嵌合状態に保持する役割を果たす。図１及び図２に示すように、嵌合筒部１３の両側面には、両コネクタの嵌合を進めるための図示しないレバーを支持可能な一対の支軸３９が突出して設けられている。
【００２０】
図４に示すように、ハウジング本体１２は、各キャビティ１１の内壁の下面に、斜め前方へ片持ち状に突出するランス１７を有している。ハウジング本体１２は、後部にゴム栓収容部１８を有している。図８に示すように、ゴム栓収容部１８は、後方に開放され、内側にゴム栓６０が収容される。各キャビティ１１の後端は、ハウジング本体１２の後面でもあるゴム栓収容部１８の奥面部分に開口している。図２に示すように、各キャビティ１１は、上下左右に複数整列して配置されている。
【００２１】
ゴム栓６０はシリコンゴム等のゴム製であって、図８に示すように、複数のシール孔６１を有する一括ゴム栓として構成される。ゴム栓６０は、各シール孔６１の内周面に、前後方向に複数条の内周リップ６２を有し、外周面に、前後方向に複数条の外周リップ６３を有している。ゴム栓６０の各シール孔６１には端子金具８０に接続された電線１００が挿入される。各内周リップ６２は、電線１００の被覆部１０１の外周面に弾性的に密着し、ゴム栓６０と電線１００との間を液密にシールする。各外周リップ６３は、ゴム栓収容部１８の内周面に弾性的に密着し、ゴム栓６０とハウジング１０との間を液密にシールする。
【００２２】
リアホルダ７０は合成樹脂製であって、図１に示すように、ホルダ本体７１と、ホルダ本体７１の外周に間隔をあけて設けられた複数のホルダロック部７２とを有している。図８に示すように、ホルダ本体７１の前部は、ゴム栓収容部１８の内側に挿入され、ゴム栓収容部１８の奥面部分との間にゴム栓６０を前後方向に挟むように配置される。
【００２３】
ホルダ本体７１は、前後方向に貫通する複数の貫通孔７３を有している。各貫通孔７３は、上下方向及び左右方向に関して、各シール孔６１及び各キャビティ１１より一回り大きい開口寸法を有している。図１に示すように、各貫通孔７３は、背面視において本体部８１の外形形状に対応した略矩形状（一部に突起９２及び第２突起９１を逃がす凹状部分）を呈している。そして、リアホルダ７０は、各ホルダロック部７２が対応する各ハウジングロック部１９に係止されることで、ハウジング１０に固定される。なお、貫通孔７３、シール孔６１及びキャビティ１１によって端子挿入孔が構成される。
【００２４】
続いて、ハウジング本体１２の後部における各キャビティ１１の周辺構造について説明する。図３に示すように、各キャビティ１１（図３では１つのみ図示）は、ハウジング本体１２の後面において略矩形に開口する形態になっている。ハウジング本体１２は、その後面におけるキャビティ１１の開口縁部のうち、下辺部分と左辺部分とに跨る範囲に、面取り状の誘い込み部２１を有している。
【００２５】
ハウジング本体１２の後部は、キャビティ１１の下面部分（上下で隣接するキャビティ１１間を区画する隔壁部分の一面でもある）の左右中間領域に、キャビティ１１に連通しつつ前後方向に延びる凹状の第２案内溝２２を有している。第２案内溝２２は、第２突起９１の外形形状に対応した断面湾曲状を呈し、後端が誘い込み部２１に切欠状に開口している。そして、第２案内溝２２は、前部側がランス１７の付け根部分に連続している（図４を参照）。
【００２６】
ハウジング本体１２は、図３に示すように、キャビティ１１の左側面部分（左右で隣接するキャビティ１１間を区画する隔壁部分の一面でもある）の上下中間領域に、キャビティ１１に連通しつつ前後方向に延びる凹状の案内溝２３を有している。案内溝２３は、突起９２の外形形状に対応した断面扁平台状を呈し、後端が誘い込み部２１に切欠状に開口している。誘い込み部２１は、左辺部分において案内溝２３の上下端を区画する一対のテーパ面部２４を有している。案内溝２３の前端は、ハウジング本体１２の前部側に位置し、上下方向に沿った閉塞面２５になっている。
【００２７】
ハウジング本体１２の後部は、図３及び図４に示すように、キャビティ１１の上面部分（上下で隣接するキャビティ１１間を区画する隔壁部分の他面でもある）の左右中間領域に、キャビティ１１に連通しつつ前後方向に延びる凹所２６を有している。つまり、凹所２６は、キャビティ１１を挟んだ上下両側のうち、第２案内溝２２が位置する側（下側）とは反対側（上側）に位置している。凹所２６は、左右方向に長い矩形の開口形状を呈し、後端がハウジング本体１２の後面に開口している。凹所２６の前面は、ハウジング本体１２の後面寄りの位置にて、上下方向及び左右方向に沿って配置される。凹所２６の上面は、前後方向及び左右方向に沿って配置される。凹所２６の前面及び上面は、後述するように、本体部８１が逆挿入姿勢をとる場合に、第２突起９１を当て止め可能な当て止め面２７（当て止め部）として構成される（図１１（Ｂ）を参照）。なお、凹所２６は、前後方向の全長にわたって同一の断面形状で形成されている。
【００２８】
ハウジング本体１２の後部は、図３及び図４に示すように、キャビティ１１の右側面部分（左右で隣接するキャビティ１１間を区画する隔壁部分の他面でもある）の上下中間領域に、キャビティ１１に連通しつつ前後方向に延びる凹状の逆挿案内溝２８を有している。つまり、逆挿案内溝２８は、キャビティ１１を挟んだ左右両側のうち、案内溝２３が位置する側（左側）とは反対側（右側）に位置し、第２案内溝２２及び凹所２６が位置する面部分（下面部分及び上面部分）と交差する面部分（右側面部分）に位置している。
【００２９】
逆挿案内溝２８は、上下方向に長い矩形の開口形状を呈し、後端がハウジング本体１２の後面に開口している。図１０（Ａ）及び図１１（Ａ）に示すように、逆挿案内溝２８は、後端から前方へ向けて上下幅を次第に小さくする縮幅形状を呈している。逆挿案内溝２８の前端面は、上下方向に沿って配置される奥面２９とされている。前後方向に関して、逆挿案内溝２８の奥面２９と凹所２６の前面とはほぼ同じ位置に配置されている。
【００３０】
逆挿案内溝２８の上端面は、全長に亘って前後方向に真直ぐ延びるストレート面３１とされている。逆挿案内溝２８の下端面は、前方（端子金具８０のキャビティ１１への挿入方向）へ向けて次第にストレート面３１に近づくように上り勾配となる逆挿案内斜面３２とされている。つまり、逆挿案内斜面３２は、前後方向と交差する方向に傾斜し、後述するように、本体部８１が逆挿入姿勢をとるときに、逆挿案内溝２８に進入した突起９２と対向する位置に配置されている。
【００３１】
図１０（Ａ）及び図１１（Ａ）に示すように、逆挿案内斜面３２は、実質的に水平な後端から前方へ向けて次第に傾斜角（前後方向に対する傾斜角）をきつくする後方曲線領域３３と、後方曲線領域３３から前方へ向けてほぼ一定の傾斜角で連なる中間直線領域３４と、中間直線領域３４から奥面２９へ向けて次第に傾斜角を緩くし前端が奥面２９に実質的に水平に連なる前方曲線領域３５とからなる。図９に示すように、逆挿案内溝２８の深さ寸法（左右寸法）は、突起９２の突出寸法と対応し、案内溝２３の深さ寸法と同じか、または案内溝２３の深さ寸法より若干小さくされている。なお、図９に示すように、左右で隣接するキャビティ１１間において、一方のキャビティ１１（左側のキャビティ１１）に連通する逆挿案内溝２８と、他方のキャビティ１１（右側のキャビティ１１）に連通する案内溝２３とは、隔壁３６を介して左右に並んで隣接配置される。このため、逆挿案内溝２８の深さ寸法は、隔壁３６の強度が低下しない程度に小さく抑えられている。
【００３２】
次に、本実施例１に係るコネクタの作用効果を説明する。
組み付けに際し、ハウジング本体１２のゴム栓収容部１８に後方からゴム栓６０とリアホルダ７０のホルダ本体７１とが順次挿入される。リアホルダ７０が各ホルダロック部７２を介してハウジング１０に固定されることで、ゴム栓６０の、ゴム栓収容部１８から後方への抜け出しが規制される。また、ハウジング１０にゴム栓６０及びリアホルダ７０が組み付けられることで、各キャビティ１１、各シール孔６１及び各貫通孔７３が前後方向に同軸で連通して配置される（図８を参照）。
【００３３】
上記の状態で、各端子金具８０が各キャビティ１１に挿入される。このとき、端子金具８０は、リアホルダ７０の貫通孔７３からゴム栓６０のシール孔６１を経て対応するキャビティ１１に挿入される。本体部８１が正規の挿入姿勢をとる場合、突起９２及び第２突起９１は、貫通孔７３の凹状部分に逃がされ、内周リップ６２を撓ませつつシール孔６１を通過し、さらに、ハウジング本体１２の案内溝２３及び第２案内溝２２に整合して進入する（図９の右側の端子金具８０を参照）。本体部８１がキャビティ１１に挿入される過程において、第２突起９１はランス１７と干渉してランス１７を撓み変形させる。
【００３４】
本体部８１がキャビティ１１に正規に挿入されると、ランス１７が弾性的に復帰し、第２突起９１がランス１７によって抜け止め状態に係止される。また、突起９２が案内溝２３の閉塞面２５に近接して配置される。かくして、図８に示すように、正規の挿入姿勢をとる本体部８１（端子金具８０）は、キャビティ１１に途中で実質的に停止することなく挿入される。
【００３５】
これに対し、本体部８１が上下反転した逆挿入姿勢をとる場合、突起９２及び第２突起９１は、開口寸法が大きい貫通孔７３を通過するとともに、内周リップ６２を撓ませつつシール孔６１を通過する。ハウジング本体１２の後面において、第２突起９１は凹所２６に臨んで当て止め面２７に対向位置し、突起９２は逆挿案内溝２８に臨んで逆挿案内斜面３２に対向位置する（図９の左側の端子金具８０を参照）。さらに、端子金具８０のキャビティ１１への挿入動作が継続すると、図１０（Ａ）に示すように、突起９２が逆挿案内溝２８に進入するとともに、突起９２の前面下角部（丸みを帯びている角部であり、図中符号Ｒで示す）が逆挿案内斜面３２の後方曲線領域３３に当接し、さらに後方曲線領域３３から中間直線領域３４及び前方曲線領域３５を順次摺動する。
【００３６】
端子金具８０は、突起９２が逆挿案内斜面３２を摺動するのに応じ、前方へ行くに従って上方にシフト及び／又は上傾させられる。このため、第２突起９１も上方へシフト又は／及び上傾して凹所２６に徐々に深く挿入されることになる（図１０（Ｂ）から図１１（Ｂ）にかけて参照）。その後、第２突起９１は略全体が凹所２６に進入して凹所２６の当て止め面２７に当て止めされる（図１１（Ｂ）を参照）。また、本体部８１の第２突起９１の周辺領域（本体部８１が正規の挿入姿勢をとる場合においては底板部８４の外板部分の下面に相当する面）がキャビティ１１の上面に当接可能な状態になる。これにより、逆挿入状態にある端子金具８０のそれ以上の挿入動作が規制される。したがって、端子金具８０が逆挿入状態のままキャビティ１１に挿入される事態が回避される。なお、第２突起９１が凹所２６の当て止め面２７に当て止めされたときに、突起９２は、凹所２６の逆挿案内斜面３２の傾斜途中に位置し、詳細には、逆挿案内斜面３２の前方曲線領域３５に位置し、奥面２９及びストレート面３１と接触することはない（図１１（Ａ）を参照）。
【００３７】
以上説明したように、本実施例１においては、本体部８１が逆挿入姿勢をとるときに、本体部８１の外面に突出する突起９２が逆挿案内溝２８に進入し、端子金具８０の挿入動作が進むに従い、突起９２が逆挿案内斜面３２を摺動し、最後は、第２突起９１が凹所２６の当て止め面２７に当て止めされて、端子金具８０が停止状態に至らしめられる。したがって、本実施例１によれば、逆挿入状態の端子金具８０を信頼性良く検知することができる。
【００３８】
また、本体部８１が逆挿入姿勢をとって端子金具８０が停止したときに、突起９２が逆挿案内斜面３２の傾斜途中に位置しているため、逆挿案内溝２８の奥面２９などで突起９２を当て止めする必要がなく、端子金具８０を停止させる手段の選択幅を広げることができ、設計の自由度を高めることができる。
【００３９】
さらに、本体部８１の外面に第２突起９１を有し、ハウジング１０がキャビティ１１に連通して第２突起９１を受ける凹所２６を有し、凹所２６の内面に、本体部８１が逆挿入姿勢をとるときに第２突起９１を当て止めする当て止め面２７を有しているため、比較的形態の自由度が高い凹所２６を利用して、逆挿入状態の端子金具８０をよりいっそう信頼性良く停止させることができる。
【００４０】
＜実施例２＞
図１２は、本発明の実施例２を示す。本実施例２の場合、逆挿案内溝２８Ａの形態が逆挿案内斜面３２ＡＤ、３２ＡＵを含めて実施例１とは異なる。また、図示はしないが、凹所２６に当て止め面２７を有しない点においても実施例１とは異なる。その他は、実施例１と同様であり、以下においては、実施例１と重複する説明を省略する。
【００４１】
逆挿案内溝２８Ａの配置は、実施例１の逆挿案内溝２８と同様であり、図示はしないが、逆挿案内溝２８Ａは、ハウジング本体１２において、キャビティ１１を挟んで案内溝２３とは反対側で、且つ凹所２６が位置する面部分と交差する面部分に配置されている。
【００４２】
逆挿案内溝２８Ａの後端は、ハウジング本体１２の後面に開口している。逆挿案内溝２８Ａの前面は、上下方向に沿った奥面２９Ａとされている。奥面２９Ａの上下長は、突起９２の上下寸法より小さくされている。
【００４３】
逆挿案内溝２８Ａの下面は、前方へ向けて直線状に上り勾配となり、奥面２９Ａに対し斜めに交差して連なる下側の逆挿案内斜面３２ＡＤとされている。逆挿案内溝２８Ａの上面は、前方へ向けて直線状に下り勾配となり、奥面２９Ａに対し斜めに交差して連なる上側の逆挿案内斜面３２ＡＵとされている。よって、上側及び下側の逆挿案内斜面３２ＡＵ、３２ＡＤは、前方へ向けてテーパ状に上下幅を狭める形態になっている。
【００４４】
端子金具８０のキャビティ１１への挿入時に、本体部８１が逆挿入姿勢をとっていると、突起９２が逆挿案内溝２８Ａに進入し、その進入方向に対向する上側及び下側の逆挿案内斜面３２ＡＵ、３２ＡＤのいずれか一方（図示する場合は下側の逆挿案内斜面３２ＡＤ）に当接する（図１２（Ａ）を参照）。端子金具８０の挿入動作が継続されると、突起９２が一方の逆挿案内斜面（下側の逆挿案内斜面３２ＡＤ）を摺動する。最後に、突起９２は、他方の逆挿案内斜面（上側の逆挿案内斜面３２ＡＵ）にも当接し、上側及び下側の逆挿案内斜面３２ＡＵ、３２ＡＤ間に挟持された状態になる（図１２（Ｂ）を参照）。かくして、逆挿入状態にある端子金具８０のそれ以上の挿入動作が規制される。このとき、突起９２は逆挿案内斜面３２Ａの奥面２９Ａとの間にクリアランスを有している。本実施例２によれば、凹所２６に当て止め面２７を設けなくても逆挿入状態の端子金具８０を信頼性良く検知することができる。
【００４５】
＜他の実施例＞
以下、他の実施例を簡単に説明する。
（１）逆挿案内溝及び逆挿案内斜面は、リアホルダに設けられるものであってもよい。この場合、リアホルダはコネクタ本体に含まれ、貫通孔は端子挿入孔に含まれる。
（２）実施例１の逆挿案内斜面は、全体が直線状に傾斜する形状であってもよい。
（３）実施例２の逆挿案内斜面は、曲線状に傾斜する形状を含むものであってもよい。
（４）第２突起の前面は端子金具の挿入方向と直交した上下方向に切り立つ形状であってもよい。
（５）突起が逆挿案内溝の奥面に当接することで、逆挿入状態の端子金具が停止させられる構成であってもよい。
（６）コネクタは、ハウジングの後方にゴム栓及びリアホルダを有しない非防水タイプであってもよい。あるいは、コネクタは、ハウジングの後方にゴム栓及びリアホルダを有さす、端子金具に接続された電線に個別ゴム栓が嵌着される個別防水タイプであってもよい。
【符号の説明】
【００４６】
１０…ハウジング（コネクタ本体）
１１…キャビティ（端子挿入孔）
２３…案内溝
２６…凹所
２７…当て止め面（当て止め部）
２８、２８Ａ…逆挿案内溝
３２、３２ＡＤ、３２ＡＵ…逆挿案内斜面
６０…リアホルダ
８０…端子金具
８１…本体部
９１…第２突起
９２…突起
【図１】
2019153502.tif 000003
【図２】
2019153502.tif 000004
【図３】
2019153502.tif 000005
【図４】
2019153502.tif 000006
【図５】
2019153502.tif 000007
【図６】
2019153502.tif 000008
【図７】
2019153502.tif 000009
【図８】
2019153502.tif 000010
【図９】
2019153502.tif 000011
【図１０】
2019153502.tif 000012
【図１１】
2019153502.tif 000013
【図１２】
2019153502.tif 000014